(57)【要約】【課題】  携帯電話として使用したり、自動改札機に用いられる携帯電話機において、携帯電話として通話中の場合であっても、自動改札機に利用することができる携帯電話機を提供する。【解決手段】  携帯電話機（Ｍ）は、所定の駅に設置される自動改札機に対して近距離無線通信機能によりデータの通信が行われることにより改札処理が行われるとともに、電話機能を有する携帯電話機であって、上記電話機能による通話中に、上記自動改札機による近距離無線通信機能により所定のデータを受付けた際に、上記通話中の通話相手に自動改札機を通過している旨を通知する通知手段（２０）と、この通知手段による通知後、上記電話機能が回線を接続したままの状態で保留とする手段（２０）と、上記自動改札機とのデータの通信により改札処理を実行する実行手段（２０）と、この実行手段による改札処理の終了時、上記手段により保留となっていた電話機能による通話を再開する再開手段（２０）と、を具備する。【選択図】      図１
2010226739.tif 000002
【特許請求の範囲】
【請求項１】
所定の駅に設置される自動改札機に対して近距離無線通信機能によりデータの通信が行われることにより改札処理が行われるとともに、電話機能を有する携帯電話機において、
上記電話機能による通話中に、上記自動改札機による近距離無線通信機能により所定のデータを受付けた際に、上記通話中の通話相手に自動改札機を通過している旨を通知する通知手段と、
この通知手段による通知後、上記電話機能が回線を接続したままの状態で保留とする手段と、
上記自動改札機とのデータの通信により改札処理を実行する実行手段と、
この実行手段による改札処理の終了時、上記手段により保留となっていた電話機能による通話を再開する再開手段と、
を具備したことを特徴とする携帯電話機。
【請求項２】
所定の駅に設置される自動改札機に対して近距離無線通信機能によりデータの通信が行われることにより改札処理が行われるとともに、電話機能を有する携帯電話機において、
上記電話機能による通話中に、上記自動改札機による近距離無線通信機能により所定のデータを受付けると、上記通話中の通話相手に自動改札機を通過している旨を通知する通知手段と、
上記自動改札機とのデータの通信により改札処理を実行する実行手段と、
を具備したことを特徴とする携帯電話機。
【請求項３】
所定の駅に設置される自動改札機に対して近距離無線通信機能により所定のデータの通信が行われることにより改札処理が行われるとともに、電話機能を有する携帯電話機において、
上記電話機能による通話中に、上記自動改札機による近距離無線通信機能により所定のデータを受付けると、上記電話機能が回線を接続したままの状態で保留とする手段と、
上記自動改札機とのデータの通信により改札処理を実行する実行手段と、
この実行手段による改札処理の終了時、上記手段により保留となっていた電話機能による通話を再開する再開手段と、
を具備したことを特徴とする携帯電話機。
【発明の詳細な説明】
【技術分野】
【０００１】
この発明は、自動改札機と近距離無線通信機能を利用してデータをやり取りすることにより、乗車券の代わりとなる携帯電話機に関する。
【背景技術】
【０００２】
利用者は、通常、携帯電話として使用し、また付加機能として近距離無線通信機能（ブルートゥース）を利用して乗車券（定期券、ＳＦカード）の代わりに自動改札機で使用することが可能な携帯電話機が提案されている。
【０００３】
しかし、上記のようなものでは、携帯電話機を所持する人が、上記自動改札機の近距離無線通信機能による通信範囲内に入ったとしても、携帯電話として通話中の場合には、自動改札機に利用できないものと考えられる。
【０００４】
このため、携帯電話として通話中の場合であっても、自動改札機に利用することができるものが要望されている。
【発明の概要】
【発明が解決しようとする課題】
【０００５】
この発明は、携帯電話として使用したり、自動改札機に用いられる携帯電話機において、携帯電話として通話中の場合であっても、自動改札機に利用することができる携帯電話機を提供することを目的としている。
【課題を解決するための手段】
【０００６】
本発明の一実施形態としての携帯電話機は、所定の駅に設置される自動改札機に対して近距離無線通信機能によりデータの通信が行われることにより改札処理が行われるとともに、電話機能を有する携帯電話機において、上記電話機能による通話中に、上記自動改札機による近距離無線通信機能により所定のデータを受付けた際に、上記通話中の通話相手に自動改札機を通過している旨を通知する通知手段と、この通知手段による通知後、上記電話機能が回線を接続したままの状態で保留とする手段と、上記自動改札機とのデータの通信により改札処理を実行する実行手段と、この実行手段による改札処理の終了時、上記手段により保留となっていた電話機能による通話を再開する再開手段と、を具備する。
【発明の効果】
【０００７】
この発明の一形態によれば、携帯電話として使用したり、自動改札機に用いられる携帯電話機において、携帯電話として通話中の場合であっても、自動改札機に利用することができる携帯電話機を提供できる。
【図面の簡単な説明】
【０００８】
【図１】この発明の実施形態を説明するための駅務無線システムの概略構成を示すブロック図。
【図２】携帯電話機の外観構成を概略的に示す図。
【図３】携帯電話機の概略構成を示すブロック図。
【図４】自動改札機の外観構成を概略的に示す図。
【図５】リーダライタの概略構成を示すブロック図。
【図６】携帯電話機を所持する利用者の改札内への入場処理を説明するためのフローチャート。
【図７】携帯電話機を所持する利用者の改札内への入場処理を説明するためのフローチャート。
【図８】携帯電話機を所持する利用者の改札内への入場処理を説明するためのフローチャート。
【図９】携帯電話機を所持する利用者の改札内への入場処理を説明するためのフローチャート。
【図１０】携帯電話機を所持する利用者の改札外への出場処理を説明するためのフローチャート。
【図１１】携帯電話機を所持する利用者の改札外への出場処理を説明するためのフローチャート。
【図１２】携帯電話機を所持する利用者の改札外への出場処理を説明するためのフローチャート。
【図１３】携帯電話機を所持する利用者の改札外への出場処理を説明するためのフローチャート。
【発明を実施するための形態】
【０００９】
以下、図面を参照してこの発明の実施形態に係る駅務無線システムを説明する。図１は、この発明の携帯電話機Ｍを無線携帯端末として用いる場合の駅務無線システムの概略構成を示している。
【００１０】
すなわち、交通機関の各駅１、…ごとに、携帯端末処理機としての自動改札機２、…と、これらの自動改札機２、…に接続され、それらを制御する駅制御機３により構成されている。
【００１１】
上記駅制御機３は、上記交通機関のホストコンピュータ４、…に接続され、各ホストコンピュータ４、…は通信回線７にて接続されている。各ホストコンピュータ４、…には、それぞれデータベース５、…が接続されている。
【００１２】
自動改札機２は、駅の改札口に設けられ、携帯電話機Ｍを所持する利用者の改札内への入場あるいは改札外への出場を許可、あるいは不許可とするものである。
【００１３】
駅制御機３は、駅に設置されている自動改札機２、…を制御するものである。
【００１４】
上記携帯電話機Ｍは、図２、図３に示すように、本体１１と送受信用のアンテナ部１２により形成されている。
【００１５】
本体１１の前面には、上から順に、スピーカ孔１３、表示部１４、操作部１５、マイク孔１６により構成されている。スピーカ孔１３に対向する本体１１内には、後述する受話部としてのスピーカ（図示しない）が設けられている。マイク孔１６に対向する本体１１内には、後述する送話部としてのマイク（図示しない）が設けられている。表示部１４は、種々の操作案内が行われるものである。操作部１５は、携帯電話として用いる際の種々の設定を行ったり、電話番号の入力を行ったり、駅務無線システムの携帯端末として用いる場合の設定を行ったり、モード設定の変更を指示するものである。
【００１６】
本体１１内には、図３に示すように、全体を制御する制御回路２０、制御プログラム、ＩＤ番号（認識番号）等の各種情報を記憶するメモリ２１、変調復調回路（送受信回路回路）としてのモデム２２、２３、送話部２４、受話部２５、電源発生回路２６、電池部２７により構成されている。
【００１７】
上記メモリ２１には、定期券に対する区間データあるいはＳＦ（ストアードフェア）カードに対する残額データ、携帯電話に対するプリペイド式の利用料金が記憶されている。
【００１８】
モデム２２、２３は、通信手段としてのアンテナ部１２に接続され、アンテナ部１２にて受信したリーダライタ４２からの受信データを復調して制御回路２０、電源発生回路２６へ出力したり、制御回路２０からのリーダライタ４２に対する送信データをアンテナ部１２を用いて送信するものである。モデム２２、２３は、携帯電話機として用いられる際と、駅務システムの端末機器として用いられる際の、信号周波数の違い等に対処して別々に設けられているものである。また、携帯電話機として用いられる際と、駅務システムの端末機器として用いられる際とは、メモリ２１に登録されている別々のアプリケーションにより制御されるようになっている。つまり、近距離無線通信機能（ブルートゥース）用のアプリケーションも用意されている。
【００１９】
すなわち、通常は、携帯電話として使用され、付加機能として近距離無線通信機能（ブルートゥース）を利用して乗車券（定期券、ＳＦカード）の代わりに自動改札機２で使用することができる。
【００２０】
送話部２４は、マイク等により構成され、携帯電話機として用いる際に利用者により発せられた言葉を音声データに変換して出力するものである。
【００２１】
受話部２５は、スピーカ等により構成され、他の機器から供給された受信した音声データを再生してスピーカから出力するものである。
【００２２】
電源発生回路２６は、モデム２２からの受信データ（電波）に基づいて電源電圧を生成し、制御回路２０、モデム２２、２３、送話部２４、受話部２５、操作部１５、表示部１４に供給するものである。
【００２３】
電池部２７は、電源発生回路２６が作動していない際に、各部に電源電圧を供給するものである。
【００２４】
図４は、上記携帯電話機Ｍを処理できる入場用（出場用）の自動改札機２の外観構成を概略的に示すものである。自動改札機２は、通常、２台１組として駅の改札口などに設置され、両者の間に通行者が通行する通路が形成される。
【００２５】
自動改札装置本体３２の上面の一端部には、通行者が携帯し、無線通信によって送受信する機能を備えた携帯電話機Ｍとの間でＩＤ番号などを送受信するためのアンテナ部（後述する）４３の送受信領域３３が設けられている。
【００２６】
本体３２上には、通行者や駅員などに対して案内を行うための案内表示部３４が設けられている。
【００２７】
また、本体３２の通路側の側面の両端部には、それぞれ通行者の通行を制御する開閉動作可能なドア３５、３５が設けられており、通行可否の判定結果に基づき、このドア３５、３５が開閉制御されるようになっている。
【００２８】
本体３２の各通路側の側面には、通行者検知手段としての複数の光学的な検知器（図示しない）が設けられている。
【００２９】
上記のように構成された自動改札機２の制御系統の構成を、図１を用いて説明する。すなわち、この制御系統は、自動改札機２の全体の制御する主制御部４１、リーダライタ４２、アンテナ部４３、上記ドア３５を駆動するドア機構部４４、本装置を制御する駅制御機３との間で情報の伝送を行うインターフェース４５などから構成されている。
【００３０】
リーダライタ４２は、主制御部４１からの信号をアンテナ部４３を介して携帯電話機Ｍに送信したり、携帯電話機Ｍからアンテナ部４３を介して受信した信号を主制御部４１へ出力するものである。
【００３１】
リーダライタ４２は、図５に示すように、全体を制御する制御回路５１、制御プログラム、各種情報を記憶するメモリ５２、送受信回路としてのモデム５３により構成されている。
【００３２】
次に、上記携帯電話機Ｍが通話中の状態での、携帯電話機Ｍを所持する利用者の改札内への入場処理について、図６、図７、図８、図９に示すフローチャートを参照しつつ説明する。
【００３３】
たとえば今、自動改札機２の主制御部４１は、リーダライタ４２とアンテナ部４３を用いて問合せ信号を所定の時間間隔ごとにブルートゥース機能により送信している（ＳＴ１）。
【００３４】
この状態において、携帯電話機Ｍを所持する利用者が携帯電話機能により通話中の状態で自動改札機２に近づいた際、携帯電話機Ｍの制御回路２０は、自動改札機２の主制御部４１からの問合せ信号を受信し（ＳＴ２）、メモリ２１に登録されているＩＤ番号（定期券かＳＦカードかを示す識別コードを含む）をブルートゥース機能により自動改札機２の主制御部４１へ送信する（ＳＴ３）。
【００３５】
ついで、自動改札機２の主制御部４１は、上記問合せ信号の送信に応答して、携帯電話機Ｍの制御回路２０からのＩＤ番号を受信した際（ＳＴ４）、このＩＤ番号の携帯電話機Ｍが該当する交通機関で利用可能か否かをチェックし、利用可能の場合、定期券としての利用かＳＦカードとしての利用かを認識する（ＳＴ５）。
【００３６】
この結果、携帯電話機Ｍが該当する交通機関で利用可能と判断され、利用内容が認識された際に、自動改札機２の主制御部４１は、この設置駅の駅コード（サイバネコード）と日時コード（サイバネコード）を携帯電話機Ｍの制御回路２０に送信する（ＳＴ６）。
【００３７】
ついで、携帯電話機Ｍの制御回路２０は、上記ＩＤ番号の送信に応答して駅コードと日時コードを受信した際（ＳＴ７）、このコードをメモリ２１に記録し（ＳＴ８）、この記録終了信号を自動改札機２の主制御部４１へ送信する（ＳＴ９）。
【００３８】
また、携帯電話機Ｍの制御回路２０は、現在通話中か否かを確認する（ＳＴ１０）。この確認により、通話中でなかった場合、携帯電話機Ｍの制御回路２０は、後述するステップ１５に進む。ただし、この場合、後述するステップ３０から３３、４３から４６についてはスルーするようになっている。
【００３９】
また、上記ステップ１０の確認により通話中の場合、携帯電話機Ｍの制御回路２０は、上記駅コードと日時コードを表示データ（ＪＩＳコード）と音声データ（ＪＩＳコード）に変換し（ＳＴ１１）、現在通話中の相手にこの変換した表示データと音声データを送信する（ＳＴ１２）。たとえば、「どこどこの駅に何時何分に入場します」という表示データと音声データを送信（通知）する。
【００４０】
これにより、通話中の相手の電話機にて、音声による案内、あるいは表示による案内が行われる。
【００４１】
この結果、上記携帯電話機Ｍを所持する利用者が上記自動改札機２を通過しようとしていた際に、通話中の相手側に通過する駅名等を音声案内（表示案内）として通知する。
【００４２】
また、携帯電話機Ｍ側では他の通話者に対して駅名ではなく自動改札機を通過中である旨の案内を通知するようにしても良い。
【００４３】
なお、上記携帯電話機Ｍが駅コードのみを自動改札機２から受信し、この受信した駅コードに基づいて携帯電話機Ｍの内部のメモリ２１にあらかじめ記録しておいた音声データと照合して読出すことにより、音声案内するようにしても良い。
【００４４】
また、上記自動改札機２が駅コードと案内メッセージコードの代りに駅名と案内メッセージの音声案内データを持ち、この駅名と案内メッセージの音声案内データが携帯電話機Ｍに送信されるようにしても良い。この場合、携帯電話機Ｍによるコード変換（サイバネコードからＪＩＳコードへの変換）を省くことができる。
【００４５】
さらに、駅数が多く、データが大きくなる場合は、携帯電話機Ｍの中継局のサーバ（図示しない）等に駅名照会データを置き、受信した駅コードから駅名を判断してサーバから読取り、音声案内するようにしてもよい。
【００４６】
上記した通知後、携帯電話機Ｍの制御回路２０は、上記通話を一時中断するとともに（ＳＴ１３）、電話料金の課金も一時中断する（ＳＴ１４）。つまり、通話が再開されるまでの時間を通話時間から控除して課金する。
【００４７】
上記通話の一時中断は、通話機能が回線を接続したままの状態で保留となっている状態である。
【００４８】
この後、携帯電話機Ｍの制御回路２０は、メモリ２１に登録されている定期券に対する区間データあるいはＳＦカードに対する残額データをブルートゥース機能により自動改札機２の主制御部４１へ送信する（ＳＴ１５）。
【００４９】
ついで、自動改札機２の主制御部４１は、上記携帯電話機Ｍの制御回路２０からの定期券に対する区間データあるいはＳＦカードに対する残額データを受信した際（ＳＴ１６）、この入場可能か否かをチェックする（ＳＴ１７）。上記定期券の区間データ内に自動改札機２の設置駅があるか、ＳＦカードの残額が最低区間運賃以上かをチェックする。
【００５０】
このステップ１７のチェックの結果、入場可能と判断された際に、自動改札機２の主制御部４１は、定期券に対する入場ビットあるいはＳＦカードに対する最低区間運賃を引去った更新残額データを入場許可データとともに携帯電話機Ｍの制御回路２０に送信する（ＳＴ１８）。
【００５１】
ついで、携帯電話機Ｍの制御回路２０は、上記入場許可データとともに定期券に対する入場ビットあるいはＳＦカードに対する最低区間運賃を引去った更新残額データを受信した際（ＳＴ１９）、定期券に対する入場ビットのメモリ２１への記録、あるいはＳＦカードに対する更新残額データのメモリ２１への更新記録を行う（ＳＴ２０）、この記録終了信号を自動改札機２の主制御部４１へ送信する（ＳＴ２１）。
【００５２】
ついで、自動改札機２の主制御部４１は、携帯電話機Ｍの制御回路２０からの記録終了信号を受信した際（ＳＴ２２）、携帯電話機Ｍを所持する利用者の自動改札機２の通過つまり改札内への入場の許可を判断し（ＳＴ２３）、通過の許可を表示部３４を用いて表示したり（ＳＴ２４）、ドア機構部４４を制御してドア４４を開放する（ＳＴ２５）。
【００５３】
また、自動改札機２の主制御部４１は、通行者の通過検知により、改札内への入場がなされたか、入場せずに戻ってしまったかを判断し（ＳＴ２６）、この通過状態の判断結果を携帯電話機Ｍの制御回路２０に送信する（ＳＴ２７）。
【００５４】
また、携帯電話機Ｍの制御回路２０は、通過状態の判断結果を受信した際（ＳＴ２８）、この通過状態の判断結果をメモリ２１に登録し、自動改札機２の交信完了を判断し、入場がなされていた場合、通過駅名、時間を表示部１４で表示する（ＳＴ２９）。
【００５５】
さらに、携帯電話機Ｍの制御回路２０は、上記入場の許可から所定時間経過後に、上記中断されていた通話を再開するとともに（ＳＴ３０）、電話料金の課金も再開する（ＳＴ３１）。つまり、通話が中断される直前の状態と同じ条件で課金する。
【００５６】
また、上記ステップ３１による通話の再開により、携帯電話機Ｍの制御回路２０は、メモリ２１に記録されている通過状態の判断結果を表示データと音声データに変換し（ＳＴ３２）、現在通話中の相手にこの変換した表示データと音声データを送信する（ＳＴ３３）。たとえば、「どこどこの駅に何時何分に入場しました」という表示データと音声データを送信（通知）する。
【００５７】
これにより、通話中の相手の電話機にて、音声による案内、あるいは表示による案内が行われる。
【００５８】
この結果、上記携帯電話機Ｍを所持する利用者による上記自動改札機２の通過状態を、通話中の相手に音声案内（表示案内）により告知する。
【００５９】
以降、上記携帯電話機Ｍによる通常の通話がなされる。
【００６０】
なお、上記ステップ２３において、通過の許可がなされた時に、通話が再開可能である旨の案内を当該通過中の通話者及び他の通話者に行うようにしても良い。この場合、通話再開ボタンを携帯電話機Ｍの操作部１５に設け、この入力により通話を再開させる。
【００６１】
また、ステップ１７のチェックの結果、入場不許可と判断された際、つまり携帯電話機Ｍを所持する利用者の自動改札機２の通過拒否により改札内への入場が不許可の際に、自動改札機２の主制御部４１は、エラーの内容も含む入場不許可データを携帯電話機Ｍの制御回路２０に送信する（ＳＴ３４）。
【００６２】
ついで、携帯電話機Ｍの制御回路２０は、上記入場不許可データを受信した際（ＳＴ３５）、表示部１４によりエラー内容とともに入場不許可を表示し、その利用履歴をメモリ２１へ記録する（ＳＴ３６）、この記録終了信号を自動改札機２の主制御部４１へ送信する（ＳＴ３７）。
【００６３】
この入場不許可（通行の阻止）時、携帯電話機Ｍの制御回路２０は、振動モードにするようにしても良い。
【００６４】
また、上記ステップ３４につづいて、自動改札機２の主制御部４１は、通過の不許可を表示部３４により表示し（ＳＴ３８）、ドア機構部４４を制御してドア４４を閉じる（ＳＴ３９）。
【００６５】
また、自動改札機２の主制御部４１は、通行者の通過検知により、強行突破により改札内への入場がなされたか、入場せずに戻ってしまったかを判断し（ＳＴ４０）、この通過状態の判断結果を携帯電話機Ｍの制御回路２０に送信する（ＳＴ４１）。
【００６６】
ついで、携帯電話機Ｍの制御回路２０は、通過状態の判断結果を受信した際（ＳＴ４２）、メモリ２１に登録し、上記入場の不許可（通行の阻止）から所定時間経過後に、上記中断されていた通話を再開するとともに（ＳＴ４３）、電話料金の課金も再開する（ＳＴ４４）。つまり、通話が中断されたされる直前の状態と同じ条件で課金する。
【００６７】
また、上記ステップ４３による通話の再開により、携帯電話機Ｍの制御回路２０は、メモリ２１に記録されている通過状態の判断結果を表示データと音声データに変換し（ＳＴ４５）、現在通話中の相手にこの変換した表示データと音声データを送信する（ＳＴ４６）。たとえば、「どこどこの駅に何時何分に強行入場しました」という表示データと音声データを送信（通知）する。
【００６８】
これにより、通話中の相手の電話機にて、音声による案内、あるいは表示による案内が行われる。
【００６９】
この結果、上記携帯電話機Ｍを所持する利用者による上記自動改札機２の通過状態を、通話中の相手に音声案内（表示案内）により告知する。
【００７０】
以降、上記携帯電話機Ｍによる通常の通話がなされる。
【００７１】
また、携帯電話機Ｍは自動改札機２からの通過駅名、時刻などの通過履歴を受信し記録しているため、この通過履歴を携帯電話機Ｍの表示メニューで表示することができる。
【００７２】
なお、上記携帯電話として通話がなされている際は、通話している相手先との関係で決まる通話料金が、メモリ２１に記録されている携帯電話に対するプリペイド式の利用料金から（減額されて）支払われるようになっている。
【００７３】
次に、上記携帯電話機Ｍが通話中の状態での、携帯電話機Ｍを所持する利用者の改札外への出場処理について、図１０、図１１、図１２、図１３に示すフローチャートを参照しつつ説明する。
【００７４】
たとえば今、自動改札機２の主制御部４１は、リーダライタ４２とアンテナ部４３を用いて問合せ信号を所定の時間間隔ごとにブルートゥース機能により送信している（ＳＴ１０１）。
【００７５】
この状態において、携帯電話機Ｍを所持する利用者が携帯電話機能により通話中の状態で自動改札機２に近づいた際、携帯電話機Ｍの制御回路２０は、自動改札機２の主制御部４１からの問合せ信号を受信し（ＳＴ１０２）、メモリ２１に登録されているＩＤ番号（定期券かＳＦカードかを示す識別コードを含む）をブルートゥース機能により自動改札機２の主制御部４１へ送信する（ＳＴ１０３）。
【００７６】
ついで、自動改札機２の主制御部４１は、上記問合せ信号の送信に応答して、携帯電話機Ｍの制御回路２０からのＩＤ番号を受信した際（ＳＴ１０４）、このＩＤ番号の携帯電話機Ｍが該当する交通機関で利用可能か否かをチェックし、利用可能の場合、定期券としての利用かＳＦカードとしての利用かを認識する（ＳＴ１０５）。
【００７７】
この結果、携帯電話機Ｍが該当する交通機関で利用可能と判断され、利用内容が認識された際に、自動改札機２の主制御部４１は、この設置駅の駅コード（サイバネコード）と日時コード（サイバネコード）を携帯電話機Ｍの制御回路２０に送信する（ＳＴ１０６）。
【００７８】
ついで、携帯電話機Ｍの制御回路２０は、上記ＩＤ番号の送信に応答して駅コードと日時コードを受信した際（ＳＴ１０７）、このコードをメモリ２１に記録し（ＳＴ１０８）、この記録終了信号を自動改札機２の主制御部４１へ送信する（ＳＴ１０９）。
【００７９】
また、携帯電話機Ｍの制御回路２０は、現在通話中か否かを確認する（ＳＴ１１０）。この確認により、通話中でなかった場合、携帯電話機Ｍの制御回路２０は、後述するステップ１０５に進む。ただし、この場合、後述するステップ１３０から１３３、１４３から１４６についてはスルーするようになっている。
【００８０】
また、上記ステップ１１０の確認により通話中の場合、携帯電話機Ｍの制御回路２０は、上記駅コードと日時コードを表示データ（ＪＩＳコード）と音声データ（ＪＩＳコード）に変換し（ＳＴ１１１）、現在通話中の相手にこの変換した表示データと音声データを送信する（ＳＴ１１２）。たとえば、「どこどこの駅に何時何分に出場します」という表示データと音声データを送信（通知）する。
【００８１】
これにより、通話中の相手の電話機にて、音声による案内、あるいは表示による案内が行われる。
【００８２】
この結果、上記携帯電話機Ｍを所持する利用者が上記自動改札機２を通過しようとしていた際に、通話中の相手側に通過する駅名等を音声案内（表示案内）として通知する。
【００８３】
上記した通知後、携帯電話機Ｍの制御回路２０は、上記通話を一時中断するとともに（ＳＴ１１３）、電話料金の課金も一時中断する（ＳＴ１１４）。つまり、通話が再開されるまでの時間を通話時間から控除して課金する。
【００８４】
上記通話の一時中断は、通話機能が回線を接続したままの状態で保留となっている状態である。
【００８５】
この後、携帯電話機Ｍの制御回路２０は、メモリ２１に登録されている定期券に対する区間データあるいはＳＦカードに対する残額データをブルートゥース機能により自動改札機２の主制御部４１へ送信する（ＳＴ１１５）。
【００８６】
ついで、自動改札機２の主制御部４１は、上記携帯電話機Ｍの制御回路２０からの定期券に対する区間データあるいはＳＦカードに対する残額データを受信した際（ＳＴ１１６）、この出場可能か否かをチェックする（ＳＴ１１７）。上記定期券の区間データ内に自動改札機２の設置駅があるか、ＳＦカードの残額が利用運賃から最低区間運賃を差引いた料金以上かをチェックする。
【００８７】
このステップ１１７のチェックの結果、出場可能と判断された際に、自動改札機２の主制御部４１は、定期券に対する出場ビットあるいはＳＦカードに対する利用運賃から最低区間運賃を差引いた料金を引去った更新残額データを出場許可データとともに携帯電話機Ｍの制御回路２０に送信する（ＳＴ１１８）。
【００８８】
ついで、携帯電話機Ｍの制御回路２０は、上記出場許可データとともに定期券に対する出場ビットあるいはＳＦカードに対する利用運賃から最低区間運賃を差引いた料金を引去った更新残額データを受信した際（ＳＴ１１９）、定期券に対する出場ビットのメモリ２１への記録、あるいはＳＦカードに対する更新残額データのメモリ２１への更新記録を行う（ＳＴ１２０）、この記録終了信号を自動改札機２の主制御部４１へ送信する（ＳＴ１２１）。
【００８９】
ついで、自動改札機２の主制御部４１は、携帯電話機Ｍの制御回路２０からの記録終了信号を受信した際（ＳＴ１２２）、携帯電話機Ｍを所持する利用者の自動改札機２の通過つまり改札外への出場の許可を判断し（ＳＴ１２３）、通過の許可を表示部３４を用いて表示したり（ＳＴ１２４）、ドア機構部４４を制御してドア４４を開放する（ＳＴ１２５）。
【００９０】
また、自動改札機２の主制御部４１は、通行者の通過検知により、改札外への出場がなされたか、出場せずに戻ってしまったかを判断し（ＳＴ１２６）、この通過状態の判断結果を携帯電話機Ｍの制御回路２０に送信する（ＳＴ１２７）。
【００９１】
また、携帯電話機Ｍの制御回路２０は、通過状態の判断結果を受信した際（ＳＴ１２８）、この通過状態の判断結果をメモリ２１に登録し、自動改札機２の交信完了を判断し、出場がなされていた場合、通過駅名、時間を表示部１４で表示する（ＳＴ１２９）。
【００９２】
さらに、携帯電話機Ｍの制御回路２０は、上記出場の許可から所定時間経過後に、上記中断されていた通話を再開するとともに（ＳＴ１３０）、電話料金の課金も再開する（ＳＴ１３１）。つまり、通話が中断される直前の状態と同じ条件で課金する。
【００９３】
また、上記ステップ１３１による通話の再開により、携帯電話機Ｍの制御回路２０は、メモリ２１に記録されている通過状態の判断結果を表示データと音声データに変換し（ＳＴ１３２）、現在通話中の相手にこの変換した表示データと音声データを送信する（ＳＴ１３３）。たとえば、「どこどこの駅に何時何分に出場しました」という表示データと音声データを送信（通知）する。
【００９４】
これにより、通話中の相手の電話機にて、音声による案内、あるいは表示による案内が行われる。
【００９５】
この結果、上記携帯電話機Ｍを所持する利用者による上記自動改札機２の通過状態を、通話中の相手に音声案内（表示案内）により告知する。
【００９６】
以降、上記携帯電話機Ｍによる通常の通話がなされる。
【００９７】
また、ステップ１１７のチェックの結果、出場不許可と判断された際、つまり携帯電話機Ｍを所持する利用者の自動改札機２の通過拒否により改札外への出場が不許可の際に、自動改札機２の主制御部４１は、エラーの内容も含む出場不許可データを携帯電話機Ｍの制御回路２０に送信する（ＳＴ１３４）。
【００９８】
ついで、携帯電話機Ｍの制御回路２０は、上記出場不許可データを受信した際（ＳＴ１３５）、表示部１４によりエラー内容とともに出場不許可を表示し、その利用履歴をメモリ２１へ記録する（ＳＴ１３６）、この記録終了信号を自動改札機２の主制御部４１へ送信する（ＳＴ１３７）。
【００９９】
また、上記ステップ１３４につづいて、自動改札機２の主制御部４１は、通過の不許可を表示部３４により表示し（ＳＴ１３８）、ドア機構部４４を制御してドア４４を閉じる（ＳＴ１３９）。
【０１００】
また、自動改札機２の主制御部４１は、通行者の通過検知により、強行突破により改札外への出場がなされたか、出場せずに戻ってしまったかを判断し（ＳＴ１４０）、この通過状態の判断結果を携帯電話機Ｍの制御回路２０に送信する（ＳＴ１４１）。
【０１０１】
ついで、携帯電話機Ｍの制御回路２０は、通過状態の判断結果を受信した際（ＳＴ１４２）、メモリ２１に登録し、上記出場の不許可（通行の阻止）から所定時間経過後に、上記中断されていた通話を再開するとともに（ＳＴ１４３）、電話料金の課金も再開する（ＳＴ１４４）。つまり、通話が中断される直前の状態と同じ条件で課金する。
【０１０２】
また、上記ステップ１４３による通話の再開により、携帯電話機Ｍの制御回路２０は、メモリ２１に記録されている通過状態の判断結果を表示データと音声データに変換し（ＳＴ１４５）、現在通話中の相手にこの変換した表示データと音声データを送信する（ＳＴ１４６）。たとえば、「どこどこの駅に何時何分に強行出場しました」という表示データと音声データを送信（通知）する。
【０１０３】
これにより、通話中の相手の電話機にて、音声による案内、あるいは表示による案内が行われる。
【０１０４】
この結果、上記携帯電話機Ｍを所持する利用者による上記自動改札機２の通過状態を、通話中の相手に音声案内（表示案内）により告知する。
【０１０５】
以降、上記携帯電話機Ｍによる通常の通話がなされる。
【０１０６】
上記したように、携帯電話機で利用できる自動改札機において、携帯電話として通話中に自動改札機を通過できるようにし、通過中は通話を中断し、通過中の駅名の案内を通話の相手側に送信するようにしたものである。
【０１０７】
すなわち、携帯電話で通話中に、自動改札機側のＢｌｕｅｔｏｏｔｈ（登録商標）による間合せ信号を受信したとき、Ｂｌｕｅｔｏｏｔｈ通信を許容し、自動改札機側では通過判定処理を行い、携帯電話機側では他の通話者に対して自動改札機に対応する駅を通過中である旨の案内を通知するようにしたものである。
【０１０８】
この結果、通話中にも自動改札機が利用でき、電話料金の課金を一時中断することができる。
【０１０９】
また、自動改札機の通過時に、通話の相手方に駅名を音声案内で告知することができる。
【０１１０】
さらに、音声案内の駅名データは、自動改札機本体、携帯電話機内、携帯電話機の中継局のサーバ等のいずれの場所に持たせても良い。
【０１１１】
また、通話中でも自動改札機が利用可能となると共に、利用駅の告知がなされるため、徘徊者等の捜索にも活用が可能となる。
【０１１２】
また、自動改札機を携帯電話で入場しているときには駅構内にいる旨携帯電話内のメモリもしくは携帯電話の通信を制御するサーバで記憶される。このとき、当該携帯電話に電話がかかると、電話を掛けた相手方に対して現在駅構内（車両内）にいる旨を電話にて通知し、両者の通話が開始される。なお、自動改札機と通信して駅構外に出場した場合には駅構外であるため上記通知は行わない。
【０１１３】
さらに、事前の設定により、駅構内にいる時にはその旨を相手方へ通知し、相手のメッセージを受信記憶するようにしても良い。
【０１１４】
これにより、公共の場である駅構内、車両内での電話、長電話を抑止ざることができる。
【符号の説明】
【０１１５】
Ｍ…携帯電話機、１…駅、２…自動改札機、４…ホストコンピュータ、５…データベース、１４…表示部、１５…操作部、２０…制御回路、２１…メモリ、４１…主制御部、４２…リーダライタ。
【図１】
2010226739.tif 000003
【図２】
2010226739.tif 000004
【図３】
2010226739.tif 000005
【図４】
2010226739.tif 000006
【図５】
2010226739.tif 000007
【図６】
2010226739.tif 000008
【図７】
2010226739.tif 000009
【図８】
2010226739.tif 000010
【図９】
2010226739.tif 000011
【図１０】
2010226739.tif 000012
【図１１】
2010226739.tif 000013
【図１２】
2010226739.tif 000014
【図１３】
2010226739.tif 000015